(57)【要約】【課題】下栓部材と上栓部材を着脱自在に組合わせてなる液体容器の栓において、上栓部材の内部に浸入した水の水抜き構造を他の機能を利用して形成することにより目立ち難い構造とすることである。【課題解決手段】下栓部材１を組み忘れ上栓部材２のみを容器本体１７の口部６７に嵌合する誤用を防止するため、上栓部材２に下栓部材１によって引き込まれるストッパー７８を設け、該下栓部材１を組み忘れたときにそのストッパー７８を上栓部材の外周面に突出させるようにした栓において、ストッパー７８とその貫通孔８０との間に水抜きすき間を設けた構成とした。【選択図】図１
2005143977.tif 000002
【特許請求の範囲】
【請求項１】
二つの栓部材を着脱自在に組合わせてなり、一方の栓部材の外周部に容器本体の口部に対する嵌合部を設け、該一方の栓部材の内部にその周壁に設けた貫通孔を通して上記嵌合部に突出するように付勢されたストッパーをスライド自在に設け、該一方の栓部材単独のときは上記ストッパーが上記嵌合部に突出して容器本体口部への嵌合が阻止され、上記一方の栓部材に他方の栓部材が組合わされたとき該ストッパーに連関してこれを後退せしめる引戻し手段を設け、上記二つの栓部材が組合わされたとき該ストッパーを後退せしめて容器本体の口部への嵌合を可能ならしめるようにした液体容器の栓において、上記貫通孔とストッパーとの間に水抜きすき間を設けたことを特徴とする液体容器の栓。
【請求項２】
上記ストッパーの突出方向先端部に頭部を設けるとともにその頭部の後部に該頭部より細い頚部を設け、上記頭部を上記貫通穴に合致する大きさに形成し、該頭部のスライド方向の長さを該ストッパーのスライドストロークより小さく形成することにより、該ストッパーの突出時にその頚部と貫通孔との間に上記の水抜きすき間が形成されるようにしたことを特徴とする請求項１に記載の液体容器の栓。
【請求項３】
上記ストッパーの突出方向先端部に頭部を設けるとともにその頭部の後部に該頭部より細い頚部を設け、上記頭部の形状と大きさを前記貫通穴より小さく形成して該頭部と貫通穴との間に静止時水抜きすき間、該頭部のスライド方向の長さを該ストッパーのスライドストロークより小さく形成することにより、該ストッパーの突出時にその頚部と貫通孔との間に上記の静止時水抜きすき間より大きい作動時水抜きすき間が形成されるようにしたことを特徴とする請求項１に記載の液体容器の栓。
【請求項４】
上記貫通孔の底面を上記一方の栓部材の水平仕切壁の上面と同じ高さに形成したことを特徴とする請求項１から３のいずれかに記載の液体容器の栓。
【請求項５】
上記貫通孔の底面を上記一方の栓部材の水平仕切壁上面から凹入した凹入部により形成し、上記頭部の底面の高さを前記凹入部に一致するか又は前記水平仕切壁上面に一致するかいずれかの形状に形成したことを特徴とする請求項２又は３に記載の液体容器の栓。
【発明の詳細な説明】
【技術分野】
【０００１】
この発明は、ポットなどの液体容器の栓に関し、特に上栓部材と下栓部材を着脱自在に組合わせてなる液体容器の栓における水抜き構造に関するものである。
【背景技術】
【０００２】
液体容器の栓において、栓の内部の洗浄を容易にするために、その栓を上栓部材と下栓部材などのように二つの栓部材により構成し、これらを着脱自在に組合わせるようにした栓は、栓を二つの栓部材に分解して洗浄等を行ったのちに、両方の栓部材を組合わせることを失念して、一方の栓部材（上栓部材）だけを容器本体の口部に嵌合した不完全な状態で使用されるおそれがあった。
【０００３】
このような誤使用を防止するため、上栓部材だけの場合は外周面に邪魔部材（以下「ストッパー」と称する。）が突出して容器本体に対して嵌合できないようにした栓が知られている（特許文献１参照）。
【０００４】
上記の上栓部材には、下栓部材と組合わされたときに容器本体の内部に連通した上部液通路を形成するための仕切壁が設けられ、その仕切壁によって上部液通路と区画された収納部に前記のストッパーが収納される。そのストッパーの先端部は周壁に設けられた貫通孔を通して外部に突出するよう径方向にスライド自在に設けられ、また、これを突出方向に付勢するコイルばねも前記の収納部に収納される。
【特許文献１】特許第２６７２２５８号公報（第１実施例）
【発明の開示】
【発明が解決しようとする課題】
【０００５】
前述の栓体を二つの栓部材に分離して洗浄した際、上栓部材においてその内部に浸入した水は、前記の収納部の底部に残留して抜け難いことがある。その水抜き対策として収納部の底面に水抜き孔を設けることが考えられるが、そのような孔を単独に設けると、看者に違和感を与え製品（部品）の美感を損なうおそれがある。
【０００６】
そこで、この発明は水抜き機能を他の機能の孔に統合することにより、その存在が目立たないようにし、栓のデザイン性を損なうことなく、かつ浸入した水を速やかに排出できるようにすることを課題とする。
【課題を解決するための手段】
【０００７】
上記の課題を解決するために、この発明は二つの栓部材を着脱自在に組合わせてなり、一方の栓部材の外周部に容器本体の口部に対する嵌合部を設け、該一方の栓部材の内部にその周壁に設けた貫通孔を通して上記嵌合部に突出するように付勢されたストッパーをスライド自在に設け、該一方の栓部材単独のときは上記ストッパーが上記嵌合部に突出して容器本体口部への嵌合が阻止され、上記一方の栓部材に他方の栓部材が組合わされたとき該ストッパーに連関してこれを後退せしめる引戻し手段を設け、上記二つの栓部材が組合わされたとき該ストッパーを後退せしめて容器本体の口部への嵌合を可能ならしめるようにした液体容器の栓において、上記貫通孔とストッパーとの間に水抜きすき間を設けた構成を採用した。
【０００８】
上記の構成によると、周壁に設けられた貫通孔はストッパーを挿通させる機能をもったものである。そのような貫通孔を広げるか又はストッパーを細くするなどすることにより、貫通孔とストッパーとの間のすき間を拡大して水抜きすき間を設けたので、栓部材の内部に浸入した水はそのすき間から速やかに外部に排出される。また、そのすき間はストッパーを挿通する機能をもった貫通孔に含まれるので、看者に違和感を与えることがない。
【０００９】
また、上記ストッパーの突出方向先端部に頭部を設けるとともにその頭部の後部に該頭部より細い頚部を設け、上記頭部を上記貫通穴に合致する大きさに形成し、該頭部のスライド方向の長さを該ストッパーのスライドストロークより小さく形成することにより、該ストッパーの突出時にその頚部と貫通孔との間に上記の水抜きすき間が形成されるようにした構成をとることができる。この構成によると、ストッパーが後退位置にあるときは、その頭部が貫通孔を閉塞するので水抜きすき間は実質上ゼロであり目立ち難い。またストッパーが突出位置にあるときは頚部が貫通孔の部分に位置するため、十分に大きい水抜きすき間が形成される。
【００１０】
また、上記ストッパーの突出方向先端部に頭部を設けるとともにその頭部の後部に該頭部より細い頚部を設け、上記頭部の形状と大きさを前記貫通穴より小さく形成して該頭部と貫通穴との間に静止時水抜きすき間、該頭部のスライド方向の長さを該ストッパーのスライドストロークより小さく形成することにより、該ストッパーの突出時にその頚部と貫通孔との間に上記の静止時水抜きすき間より大きい作動時水抜きすき間が形成されるようにした構成をとることができる。この場合は、ストッパーが後退位置にあるときに貫通孔とストッパーとの間に一定の静止時水抜きすき間が形成され、このままでも水抜きが可能である。ストッパーが突出位置にあるときは、これより大きい作動時水抜きすき間が生じるので、水抜き作用が一層促進される。
【００１１】
また、上記貫通孔の底面を上記一方の栓部材の水平仕切壁の上面と同じ高さに形成した構成をとると、収納部内の水が排出され易くなる。さらに、上記貫通孔の底面を上記一方の栓部材の水平仕切壁上面から凹入した凹入部により形成し、上記頭部の底面を該水平仕切壁上面に一致するか又は該貫通孔の底面に一致するかいずれかの形状に形成された構成をとると、ストッパーの突出時において凹入部の凹入分だけ排水すき間が広くなり、水が抜け易くなる。
【発明の効果】
【００１２】
以上のように、この発明は、上栓部材だけを容器本体の口部に嵌合しようとするとストッパーがその嵌合部に突出して嵌合できないようにすることにより、使用者に下栓部材の組合わせを促す機能をもった液体容器用の栓において、そのストッパーが貫通する上栓部材の周壁の貫通孔と該ストッパーとの間に水抜きすき間を設けたので、洗浄等の際に該上栓部材の内部に残留した水があったとしても、上記の水抜きすき間から自然に排出させることができる。また、その水抜きすき間は、ストッパーの貫通孔に含まれるものであり、独立した孔として存在するものではないので目立ち難く、製品の美感を損なうこともない。
【発明を実施するための最良の形態】
【００１３】
以下、添付図面に基づいてこの発明の実施をするための最良の形態を説明する。
【実施例１】
【００１４】
実施例１の液体容器の栓は、図１に示したように、下栓部材１と上栓部材２とをワンタッチで着脱自在となるように組合わせたものである。
【００１５】
下栓部材１は、外周壁３の内周面に複数本の放射状のリブ４を設け、そのリブ４の内端に内周壁５を一体に設けている。またその内周壁５の内周面に設けたリブ６の内端にガイド筒７を一体に設けている。上記の外周壁３と内周壁５との間が下部液通路８となる。
【００１６】
上記のガイド筒７には、弁体９の弁棒１１が上下方向にスライド自在に貫通している。上記の弁棒１１には受つば１２が取付けられ、その受つば１２と前記のリブ６との間に介在したコイルばね１３により、弁体９を上向きに付勢している。
【００１７】
前記の外周壁３の外周面には、パッキン押さえつば１４が形成され、そのパッキン押さえつば１４の下部の外周面にもパッキン装着つば１５が形成される。上記の各つば１４、１５により支持されたパッキン１６の外周縁は、容器本体１７の内周壁段部１８に圧着されるシール部２０となり、また、内周縁が弁座２０'となり、その内周が下部液通路８の下端を開閉する弁孔１０となる。前記の弁体９はこの弁座２０'を押圧し、弁孔１０を閉塞する。また、上記のパッキン押さえつば１４の上部の外周面に周方向の係合溝１９が形成される。
【００１８】
次に、上栓部材２は、図１に示すように、内周壁２１の上端の平坦部２２（図３参照）の外周縁に外周壁２３を垂設しており、内周壁２１の内部を水平方向に仕切る仕切壁２４の中心に、前記弁棒１１のガイド筒２５を設け、またこのガイド筒２５から離れた位置に該仕切壁２４の上下に通じた連通孔２６を設けている。上記平坦部２２の一部に吐出口２７の一部を構成する凹所２８を設けている。
【００１９】
上記の仕切壁２４の上面において、前記ガイド筒２５と連通孔２６との間には、図３に示すように、円弧壁２９が設けられ、その円弧壁２９の両端から、連通孔２６の両側に沿ってガイドリブ３１が形成され、そのガイドリブ３１の上端が前記の凹所２８の両側に達している。上記の２本のガイドリブ３１に囲まれた部分が上部液通路３２（図１参照）となり、そのガイドリブ３１の上端部分と前記の凹所２８とにより吐出口２７が構成される。また、上記の凹所２８と中心対称の位置の平坦部２２に切欠き３３（図３参照）が設けられる。なお、前記の円弧壁２９及びガイドリブ３１は仕切壁２４の一部をなし、内周壁２１の内周面とにより、収納部３５が形成される。この収納部３５に後述のストッパー７８とその付勢用のコイルばね８５が収納される。
【００２０】
前記の仕切壁２４の上方において、内周壁２１の上端内周に形成した係合リブ３０（図３参照）に、前記の弁体９の開閉装置３４が強制的に嵌合され、これによって前記の収納部３５を閉塞する。開閉装置３４は、閉塞板３６と、スイッチ部材３７と、操作ボタン３８及び付勢用のコイルばね３９により構成される（図４及び図５参照）。
【００２１】
閉塞板３６の周縁には、前記のガイドリブ３１の両外側に沿う凹部４１が形成され、またその反対側に前記の切欠き３３に嵌合する突出部４２が形成される。また、この閉塞板３６の外周に、前記の係合リブ３０に強制的に嵌合される係合溝４３が形成される。更に、この閉塞板３６の中心部分に操作ボタン３８を挿入するボタン孔４４（図３参照）が設けられ、そのボタン孔４４の下面にガイド筒４５が設けられる。このガイド筒４５の２個所に上下方向のガイド用スリット４６が形成される。
【００２２】
前記のスイッチ部材３７は、図５に示したように、上記のガイド孔４５のまわりを囲む長孔４７を有する枠部４８、その枠部４８の長さ方向の一端に突設された吐出口開閉部４９と、他端に突設された操作突起部５１とを有し、その吐出口開閉部４９は前記閉塞板３６の凹部４１に嵌合される。また、操作突起部５１は、前記の突出部４２の下面に沿って配置される。
【００２３】
前記の枠部４８の両側内面には、傾斜面でなる係止段部５２が形成される。また、枠部４８の前記操作突起部５１の内側に設けた細い突起５３に付勢用のコイルばね３９を嵌め、そのコイルばね３９を閉塞板３６のガイド孔４５に押し当てることにより、スイッチ部材３７をその操作突起部５１が外方へ突出する方向に付勢する（図４参照）。
【００２４】
操作ボタン３８は、その両外側面に係合部５４が突設され、その係合部５４が前記のガイド用スリット４６に上下動自在に嵌入される。また、その係合部５４の上端（上下を逆に表わした図４、図５では下端）は、枠部４８の長径方向の２側辺の内側寄りの下面に係合し、後述のように、スイッチ部材３７の操作突起部５１が押し込まれた際に、各係合部５４が前記の傾斜面でなる係止段部５２に沿って上向きに移動し操作ボタン３８をボタン孔４４から突出させる。
【００２５】
上記構成の開閉装置３４が内周壁２１の上端面に強制嵌合されると、図１に示したように、操作ボタン３８の下面に前述の弁棒１１の上端が嵌入し、操作ボタン３８の内底面に接触させる。
【００２６】
次に、下栓部材１と、上栓部材２とのワンタッチ着脱構造について説明する。図１に示すように、前記上栓部材２の内周壁２１の下半部は、下栓部材１の外周壁３の外周面に嵌合される。その嵌合部分の内周壁２１の下半部内周面にほぼ全周にわたり周溝５５が形成される。その周溝５５の一端は、図６及び図７に示すように、端壁５６で終っており、他端は開口部５７により外周面に開放されている。
【００２７】
上記の周溝５５には、弾力性のある切円形のリングばね５８が嵌入される。このリングばね５８の一端は、前記の端壁５６に押し当てられ、その位置で安定するように、その一端部に設けた小突起５９を、周溝５５の一部に設けた小凹所６１に係合している。この小凹所６１は、上方向に抜けた貫通穴で形成してもよい。
【００２８】
また、リングばね５８の他端には、指掛け部６２が設けられ、その指掛け部６２が前記の開口部５７から外部に露出し、開口部５７に沿って形成されたカム面６３（図８参照）に係合している。このカム面６３は相対的に低い凹部６４と、その凹部６４から右回り（図７、図８の状態での右回り）の位置に隣接して形成された相対的に高い凸部６５とからなる。
【００２９】
前記のリングばね５８は、指掛け部６２がカム面６３の凹部６４にある状態（図７参照）では、その内周面がほぼ全体にわたり周溝５５から部分的に内方に寄り、かつ全体として弾性変形の少ない縮径状態にある。また、指掛け部６２をカム面６３の凸部６５に移動させた状態（図８参照）では、全体として径が拡大し、周溝５５の内部に納まる。この状態では、全体として弾性変形が生じており、指掛け部６２から指を離すとその弾性により図７の通常状態に戻る。
【００３０】
上記のリングばね５８は、通常状態においては、その内周縁が下栓部材１の外周壁３の係合溝１９に係合する（図１参照）。これにより、両方の栓部材１、２が一体に組合わされる。
【００３１】
また、上栓部材２の外周壁２３の内周面にはねじ６６が形成され、そのねじ６６を形成した外周壁２３の内面と、これと対向した内周壁２１とにより、容器本体１７の口部６７の嵌合部６９を構成する。その他、図１において、６８はカップを兼用した外蓋、７０は下栓部材１の外周面に装着したパッキンである。
【００３２】
次に、誤使用防止構造について説明する。図１において、上栓部材２の仕切壁２４の上面（収納部３５の底面）に接して、前記スイッチ部材３７の下方にこれと平行にストッパー７８が半径方向にスライド自在に設けられる。ストッパー７８は図３に示したように、長円形の枠部７９とその枠部７９の長径側の一方の外端に突起８１が設けられる。突起８１は頭部８１ａとその後方に設けられた頚部８１ｂとからなる。頚部８１ｂは頭部８１ａより細く形成される。その突起８１は、上栓部材２の内周壁２１に設けた貫通孔８０（図１、図２参照）に挿入され、前記の嵌合部６９に対し出没自在となっている。
【００３３】
上記の枠部７９は、弁棒１１のガイド筒２５の外周に嵌合され、該枠部７９の内周面に設けた案内突起８２をガイド筒２５の周壁に設けたスリット８３に嵌め（図３参照）、その先端を弁棒１１に接触させる（図１参照）。また、上記案内突起８２と対向した内周面にはばね受け突起８４が設けられ、該ばね受け突起８４に嵌めたコイルばね８５の一端をガイド筒２５の外周面に当て、上記ストッパー７８に外向きの付勢力を及ぼす。
【００３４】
下栓部材１と上栓部材２とが組合わされた状態では、図１０（ａ）に示したように。前記のストッパー７８が後退位置にあり、頭部８１ａが貫通孔８０に合致し、貫通孔８０と頭部８１ａ間のすき間は実質的にゼロであり、また内周壁２１の外周面への突出量もゼロである。また、図１０（ｂ）に示したように、ストッパー７８のスライドストロークＳに比べ、頭部８１ａのスライド方向の長さＬは若干小さく形成されている。下栓部材１と上栓部材２とが分離され、案内突起８２が弁棒１１から外れることによりストッパー７８が突出方向にスライドすると、頚部８１ｂが貫通孔８０の部分に挿通された状態となり、その頚部８１ｂと貫通孔８０の内壁との間に水抜きすき間８６が形成される。また、頭部８１ａはスライドストロークＳだけ内周壁２１の外周面、即ち容器本体１７の口部６７に対する嵌合部６９（図１参照）に突出する。
【００３５】
実施例１の液体容器の栓は以上のごときものであり、次にその作用を説明する。容器本体１７の口部６７に装着した図１の状態においては、下栓部材１と上栓部材２は両者の嵌合部分において、リングばね５８により係合され一体に組合わされている。また、弁体９はコイルばね１３の弾力により上向きに付勢され、弁座２０'を押圧し、弁孔１０を閉塞する。
【００３６】
また、スイッチ部材３７は前方（吐出口２７側）に押し込まれ、その吐出口開閉部４９により吐出口２７を閉塞する。操作ボタン３８は弁体９の弁棒１１により上向きに押され、その係合部５４がスイッチ部材３７の係止段部５２（図４参照）に係合して上方に押上げられた状態にある（図１参照）。このとき、スイッチ部材３７の後端の操作突起部５１は、閉塞板３６の突出部４２の下面に退避した状態にある。また、下部液通路８が上栓部材２の連通孔２６を通して上部液通路３２と連通する。
【００３７】
容器本体１７内部の液体を吐出させる際は、使用者が指先で操作ボタン３８を押下げる（図１の二点鎖線参照）。そうすると、弁体９が押下げられ、弁座２０'から離れて弁孔１０を開放し、下部液通路８を容器本体７の内部に連通させる。これと同時に、操作ボタン３８の係合部５４がスイッチ部材３７の係止段部５２から外れるので、スイッチ部材３７が付勢用コイルばね３９の弾力で後退し、その前端の吐出口閉塞部４９が吐出口２７を開放する。同時に後端の操作突起部５１が突出部４２よりも外方に突出する。この状態で容器本体１７を傾けると、内部の液体は弁孔１０、下部液通路８、上部液通路３２を経て吐出口２７から吐出される。
【００３８】
吐出口２７を閉塞する場合は、スイッチ部材３７の後端の操作突起部５１に指を掛けて押し込むと、操作ボタン３８が係止段部５２に係合するので、弁体９が上昇し操作ボタン３８が元に状態に押上げられ、またこれと同時に弁孔１０が閉塞される。また、スイッチ部材３７の前進により吐出口開閉部４９が吐出口２７を閉塞する。
【００３９】
次に、上記の栓を洗浄等のために容器本体１７から外したのちこれを分解する場合は、まず、上栓部材２のリングばね５８の指掛け部６２に指を掛けてこれを周方向に押すと、図８に示すようにリングばね５８が拡径して、下栓部材１の係合溝１９から外れ、図２及び図９に示したように、両方の栓部材１、２がワンタッチで分離される。このように分離すると、それぞれ下部液通路８及び上部液通路３２が開放されるので、その内部の掃除が容易になる。
【００４０】
このとき上栓部材２においては、操作ボタン３８が弁棒１１から外れるので、図２に示すようにガイド筒４５の下部に落ち込み、その係合部５４が係止段部５２から外れる。これによりスイッチ部材３７が付勢用コイルばね３９の弾力により後退し、その操作突起部５１が後方に突出する。
【００４１】
また、下栓部材１と上栓部材２とを上記のように分解すると、上栓部材２においては、弁棒１１がストッパー７８から外れるので、該ストッパー７８は、そのコイルばね８５の力により外方に押され、その突起８１の頭部８１ａが内周壁２１の外方の嵌合部６９に突出する（図１０（ｂ）参照）。頭部８１ａの突出により、前述のように頚部８１ｂと貫通孔８０との間に水抜きすき間８６が形成されるので、仕切壁２４の上面、即ち収納部３５の底面に残留していた水は、その水抜きすき間８６から外部に排出される（図１０（ｂ）の矢印参照）。
【００４２】
掃除終了後、下栓部材１を上栓部材２に押し込むと、下栓部材１の外周壁３の上端縁がリングばね５８を押し拡げて嵌合し、そのリングばね５８が復元して係合溝１９に係合することによりワンタッチで両方の栓部材１、２が元の状態に組合わされる。両栓部材１、２を組合わせて一体化したのち、容器本体６７に螺合する。このとき、万一下栓部材１を組合せるのを失念して、上栓部材２のみを容器本体１７の口部６７に嵌合させようなことがあっても、その嵌合部６９には、前述のようにストッパー７８の頭部８１ａが突出しているので、これが邪魔になって嵌合させることができない。これにより使用者に注意を喚起し、下栓部材１の組合わせを促すことができる。
【００４３】
なお、前記の場合、ストッパー７８の頭部８１ａは該ストッパー７８が後退位置にあるときは、貫通孔８０に合致する大きさと形状に形成されたものであったが、その大きさ関係は、図１１（ａ）（ｂ）に示したように、ストッパー７８が後退位置にあるときに、頭部８１ａと貫通孔８０との間に静止時水抜きすき間８６’があるように形成してもよい。この場合はストッパー７８が突出した図１１（ｂ）の状態においては頚部８１ｂと貫通孔８０との間に相対的に大きい水抜きすき間８６（「特許請求の範囲」においては前記の静止時水抜きすき間８６’と区別するために「作動時水抜きすき間」と称している。）が形成され、排水が容易となる。
【００４４】
図１２（ａ）から（ｄ）に示したものは、前記の図１１（ａ）（ｂ）のように、ストッパー７８が後退位置にある場合において頭部８１ａと貫通孔８０との間に静止時水抜きすき間８６’がある構造のものにおいて、収納部３５の底面を形成する仕切壁２４の上面から下方に凹入した凹入部８７を設けたものである。ストッパー７８が後退位置のある場合は、その凹入部８７は頭部８１ａの下端に設けた凸部８８によって閉塞されている（図１２（ａ）（ｃ）参照）が、ストッパー７８の突出状態においては開放され（同図（ｂ）（ｄ）参照）、頭部８１ａの左右両側部のみならず、その底部の凹入部８７の部分も合わせた部分が水抜きすき間８６となる。
【図面の簡単な説明】
【００４５】
【図１】実施例１の断面図
【図２】同上の分解断面図
【図３】同上の分解斜視図
【図４】同上の開閉装置の裏面側から見た斜視図
【図５】同上の開閉装置の裏面側から見た分解斜視図
【図６】（ａ）同上の上部栓組立体の一部分解斜視図、（ｂ）図６（ａ）図の一部断面図
【図７】同上の上部栓組立体の横断面図
【図８】同上の上部栓組立体のリングばね拡径時の横断面図
【図９】同上の両栓部材の分解斜視図
【図１０】（ａ）同上の上栓部材のストッパー後退時の横断平面図、（ｂ）（ａ）図の場合のストッパー突出時の横断平面図
【図１１】（ａ）同上の上栓部材のストッパー後退時の他の例を示す一部横断平面図、（ｂ）（ａ）図の場合のストッパー突出時の横断平面図
【図１２】（ａ）同上の上栓部材のストッパー後退時の他の例を示す一部横断平面図、（ｂ）（ａ）図の場合のストッパー突出時の横断平面図、（ｃ）（ａ）図の場合の一部縦断面図、（ｄ）（ｂ）図の場合の一部縦断面図
【符号の説明】
【００４６】
１  下栓部材
２  上栓部材
３  外周壁
４  リブ
５  内周壁
６  リブ
７  ガイド筒
８  下部液通路
９  弁体
１０  弁孔
１１  弁棒
１２  受つば
１３  コイルばね
１４  パッキン押さえつば
１５  パッキン装着つば
１６  パッキン
１７  容器本体
１８  内周壁段部
１９  係合溝
２０  シール部
２０'  弁座
２１  内周壁
２２  平坦部
２３  外周壁
２４  仕切壁
２５  ガイド筒
２６  連通孔
２７  吐出口
２８  凹所
２９  円弧壁
３０  係合リブ
３１  ガイドリブ
３２  上部液通路
３３  切欠き
３４  開閉装置
３５  収納部
３６  閉塞板
３７  スイッチ部材
３８  操作ボタン
３９  コイルばね
４１  凹部
４２  突出部
４３  係合溝
４４  ボタン孔
４５  ガイド筒
４６  ガイド用スリット
４７  長孔
４８  枠部
４９  吐出口開閉部
５１  操作突起部
５２  係止段部
５３  突起
５４  係合部
５５  周溝
５６  端壁
５７  開口部
５８  リングばね
５９  小突起
６１  小凹所
６２  指掛け部
６３  カム面
６４  凹部
６５  凸部
６６  ねじ
６７  口部
６８  外蓋
６９  嵌合部
７０  パッキン
７１  係合リブ
７３  係合リング
７４  つめ
７５  指掛け部
７６  回り止めリブ
７７  凹所
７８  ストッパー
７９  枠部
８０  貫通孔
８１  突起
８２  案内突起
８３  スリット
８４  ばね受け突起
８５  コイルばね
８６、８６’  水抜きすき間
８７  凹入部
【図１】
2005143977.tif 000003
【図２】
2005143977.tif 000004
【図３】
2005143977.tif 000005
【図４】
2005143977.tif 000006
【図５】
2005143977.tif 000007
【図６】
2005143977.tif 000008
【図７】
2005143977.tif 000009
【図８】
2005143977.tif 000010
【図９】
2005143977.tif 000011
【図１０】
2005143977.tif 000012
【図１１】
2005143977.tif 000013
【図１２】
2005143977.tif 000014